(57)【要約】【課題】本発明の課題は、連続する「海」状鏡領域の中に「島」状発光可能鏡領域を備え、高信頼性かつ安価な鏡装置を提供することである。【解決手段】本発明の鏡装置は、面状に広がりを有し、その一方の主面に、連続する「海」状の鏡領域、及び、該「海」状鏡領域の中に、「島」状の発光可能な鏡領域を複数備える鏡装置であって、該一方の主面は、透光性基板の一方の主面であり、該「海」状鏡領域においては、該透光性基板の他方の主面上に順に透明導電膜、及び陽極金属層が形成され、該陽極金属層が鏡面であり、かつ、該「島」状鏡領域においては、該透光性基板の他方の主面上に順に該透明導電膜、発光層を含む機能層、及び陰極金属層が形成され、該陰極金属層が鏡面であり、さらに、該陽極金属層と、該陰極金属層との間に電圧を印可することにより発光する。【選択図】  図１
2015230767.tif 000002
【特許請求の範囲】
【請求項１】
面状に広がりを有し、その一方の主面に、連続する「海」状の鏡領域、及び、該「海」状鏡領域の中に、「島」状の発光可能な鏡領域を複数備える鏡装置であって、
該一方の主面は、透光性基板の一方の主面であり、
該「海」状鏡領域においては、該透光性基板の他方の主面上に順に透明導電膜、及び陽極金属層が形成され、該陽極金属層が鏡面であり、かつ、
該「島」状鏡領域においては、該透光性基板の他方の主面上に順に該透明導電膜、発光層を含む機能層、及び陰極金属層が形成され、該陰極金属層が鏡面であり、さらに、
該陽極金属層と、該陰極金属層との間に電圧を印可することにより該発光する鏡装置。
【請求項２】
前記陰極金属層１６が、複数の「島」状発光可能鏡領域に亘って連続して形成されてなることを特徴とする請求項１に記載の鏡装置。
【請求項３】
前記陽極金属層の前記「島」状鏡領域側側面における前記透明導電膜との境界線から、前記陽極金属層の前記透明導電膜とは反対側の面に亘って、少なくとも該「島」状鏡領域側側面及びその該反対側の面へ延長する延長領域の全面が、第１絶縁層で覆われていることを特徴とする請求項１又は２に記載の鏡装置。
【請求項４】
前記複数の「島」状鏡領域、及びこれに隣接する前記「海」状鏡領域の隣接領域に亘って、前記機能層が形成されていることを特徴とする請求項１〜３のいずれかに記載の鏡装置。
【請求項５】
前記複数の「島」状鏡領域、及びこれに隣接する前記「海」状鏡領域の隣接領域に亘って、前記陰極金属層の前記機能層と反対側の面を覆う第２絶縁層が形成されていることを特徴とする請求項１〜４のいずれかに記載の鏡装置。
【請求項６】
請求項１に記載の鏡装置の製造方法であって、順に、
前記透光性基板上の前記透明導電膜の前記「島」状鏡領域に相当する領域にリフトオフ層を形成する工程と、
前記「島」状鏡領域、及び前記「海」状鏡領域に亘る連続した領域に相当する領域に前記陽極金属層を形成する工程と、
該リフトオフ層を、少なくともその上の前記陽極金属層を伴って、前記透明導電膜から除去するリフトオフ工程と、を含む鏡装置の製造方法。
【請求項７】
請求項６に記載の鏡装置の製造方法であって、
前記リフトオフ層が、その全周を含み内側に幅を有する輪郭層、及びそれ以外の内側の部分である本体層からなり、
前記陽極金属層形成工程後に、順に、
該輪郭層を、少なくともその上の前記陽極金属層を伴って、前記透明導電膜から除去する輪郭層リフトオフ工程と、
前記「島」状鏡領域、及び前記「海」状鏡領域に亘る連続した領域に相当する領域に第１絶縁膜を形成する工程と、
該本体層を、その上の前記陽極金属層、及び該絶縁膜を伴って、前記透明導電膜から除去する本体層リフトオフ工程と、を含む鏡装置の製造方法。
【発明の詳細な説明】
【技術分野】
【０００１】
本発明は、鏡装置およびその製造方法に関し、特に、連続する「海」状の鏡領域の中に複数の「島」状の発光可能な鏡領域を備える鏡装置およびその製造方法に関する。
【背景技術】
【０００２】
近年、白熱灯や蛍光灯に変わる照明光源として有機ＥＬ光源が注目され、多くの研究がなされている。また、テレビに代表されるディスプレイ部材においても液晶方式やプラズマ方式に変わる方式として有機ＥＬ方式が注目されている。
【０００３】
ここで有機ＥＬ光源は、ガラス基板や透明樹脂フィルム等の基材に、有機ＥＬ素子を積層したものである。また、有機ＥＬ素子は、一方又は双方が透光性を有する２つの電極を対向させ、この電極の間に有機化合物からなる発光層を積層したものである。有機ＥＬ素子は、電気的に励起された電子と正孔との再結合のエネルギーによって発光する。有機ＥＬ光源は、自発光デバイスであるため、ディスプレイ材料として使用すると高コントラストの画像を得ることができる。また、発光層の材料を適宜選択することにより、種々の波長の光を発光することができる。また白熱灯や蛍光灯に比べて厚さが極めて薄く、且つ面上に発光するので、設置場所の制約が少ない。
【０００４】
有機ＥＬ光源の代表的な層構成は、ボトムエミッション型と称される構成であり、一般に、透光性のガラス基板に、透明電極層と、機能層と、裏面電極層が積層され、これらが封止部によって封止されたものであり、機能層中の発光層で発光した光がガラス基板を介して出射される構造である。以下、本明細書においてボトムエミッション型の有機ＥＬ光源パネルのことをＢＥＰと省略して記載することとする。ここで、機能層は、複数の有機化合物を含む薄膜が積層されたものである。代表的な機能層の構成は、正孔注入層、正孔輸送層、発光層、電子輸送層、電子注入層、ブロック層、電荷発生層等を含む構成であり、この中で、発光に寄与する発光層が必須の構成である。このような層構成の中で、対向する電極層及びこれに挟持された機能層について、これらの層の重畳部分の両電極層を含む部分が有機ＥＬ素子であり、両電極層間への電圧の印加により、発光層が発光する。
【０００５】
このような有機ＥＬ光源の応用製品として、特許文献１は、暗い場所で鏡を使って対象物を観察する場合に、新たに照明を用意する必要がないようにするために、鏡に極めて薄くて、かさばらない、照明用ＥＬ素子を内蔵することによって対象物を明るく照らし容易に対象物を鏡で観察できるようにした携帯や設置が便利なＥＬ照明内蔵の鏡装置として、超薄型電界発光素子である有機ＥＬ素子を用いて、その有機ＥＬ装置の一部として、ガラスまたはプラスチック製のその基板の一部に非発光部分を形成し、その部分より裏側の有機ＥＬ素子の鏡面状陰極部分が透けて見えるような構造（特許文献１の図１、図２）とした鏡装置や、通常の鏡の一部を透明とし、その裏面に接するように、ＢＥＰを貼りつけた構造（特許文献１の図３）の鏡装置を提案している。
【先行技術文献】
【特許文献】
【０００６】
【特許文献１】特開２００２−３２９４１８号公報
【発明の概要】
【発明が解決しようとする課題】
【０００７】
本発明は、このような先行技術における問題点を解消するために為されたものであり、連続する「海」状鏡領域の中に、「島」状発光可能鏡領域を備える鏡装置であって、高信頼性かつ安価な鏡装置を提供することを目的としている。ここで、この「島」状発光可能鏡領域は、任意の形状及び個数であることが好ましく、また、この鏡装置は、均一に発光可能であり、かつ、電力ロスが低減された高効率のものであることが好ましい。
【０００８】
このような本発明の目的に対して、特許文献１の有機ＥＬ装置の基板の一部にその鏡面状陰極部分が透けて見えるようにした鏡装置は、ＢＥＰの一般的特性である、そのままの状態でＢＥＰの陰極金属層が鏡面となることを利用するものであるが、この技術を用いて、連続する非発光の「海」状鏡領域の中に、任意の形状及び個数の「島」状発光可能鏡領域を備える鏡装置を作製しようとした場合には、以下の（１−１）〜（１−３）のような問題がある。
【０００９】
（１−１）透明陽極や発光層を、発光させたい形状に合わせて形成する必要があり、任意の形状や個数の発光可能鏡領域を備える鏡装置とするためには、そのパターンに合わせた透明陽極の加工や発光層等の製膜マスクを準備する必要があり、コストや納期の点で問題がある。特に、特許文献１の図２のように、非発光領域となる部分に透明絶縁膜を形成しようとすると、「島」状発光可能鏡領域に相当する部分以外の部分をくり抜いたシャドーマスクを使用して製膜する必要が生じるが、そのようなマスクは、「島」状発光可能鏡領域に相当する部分が、周囲と切り離されて空間に浮いた状態のマスクとなるので、実質的に作製困難である。
【００１０】
（１−２）「島」状発光可能鏡領域の透明陽極に外部から給電する場合、特許文献１の図１の方法では、発光可能鏡領域が鏡装置の外周に位置するため、その外周から給電可能であるが、「島」状発光可能鏡領域には、個別に電気絶縁された透明陽極を有するのみなので、外部から給電することはできない。また、特許文献１の図１の方法では、発光可能鏡領域が鏡装置の外周から給電された電気が、連続する一般に抵抗が高い透明陽極と介して、「島」状発光可能鏡領域の透明陽極に達する間に電圧降下を生じるため、全ての「島」状発光可能鏡領域を均一に発光させたり、電力ロスを低減したりすることが困難である。
【００１１】
（１−３）非発光「海」状鏡領域と「島」状発光可能鏡領域との鏡としての連続性については、特許文献１の図２の場合には、発光層及び透明絶縁層の透明性や屈折率を同等の値に調整することで、ほぼ連続する鏡として作製可能であるものの、特許文献１の図１の場合には、基板の上に、これと接して鏡面状陰極が形成されている非発光鏡領域と、透明電極及び発光層を介して鏡面状陰極が形成されている発光鏡領域とでは、鏡としての見え方に大きな差異が生じてしまい、連続する鏡としては視認されない可能性が高い。
また、このような本発明の目的に対して、通常の鏡の一部を透明とし、その裏面に接するように、ＢＥＰのガラス基板を貼りつけた鏡装置は、ＢＥＰの一般的特性である、そのままの状態でＢＥＰの陰極金属層が鏡面となることを利用するものであるが、この技術を用いて、連続する非発光の「海」状鏡領域の中に、任意の形状及び個数の「島」状発光可能鏡領域を備える鏡装置を作製しようとした場合には、以下の（２−１）〜（２−３）のような問題がある。
【００１２】
（２−１）ＢＥＰを、発光させたい形状に合わせて形成する必要があり、任意の形状や個数の発光可能鏡領域を備える鏡装置とするためには、その形状や個数に合わせたＢＥＰを準備する必要があり、現実的でない。
【００１３】
（２−２）「島」状発光可能鏡領域となるＢＥＰの各々の、透明陽極および鏡面状陰極に外部から給電する場合、特許文献１の図３の方法では、各ＢＥＰの各電極に電気配線を接続する必要があり、特に、任意の形状、個数の「島」状発光可能鏡領域とする場合には、現実的ではない。
【００１４】
（２−３）非発光「海」状鏡領域と「島」状発光可能鏡領域との鏡としての連続性については、特許文献１の図３の場合には、透光性基板の上に、これと接して鏡面形成されている非発光鏡領域と、透光性基板、透明電極及び発光層を介して鏡面状陰極が形成されている発光鏡領域とでは、鏡としての見え方に大きな差異が生じてしまい、連続する鏡としては視認されない可能性が高い。
【００１５】
以上のことから、連続する「海」状鏡領域の中に、「島」状発光可能鏡領域を備える鏡装置を、現実的に提供する技術が必要とされている。
【課題を解決するための手段】
【００１６】
上述の状況に鑑み、本発明者は、ＢＥＰの透明電極層が形成されてなる基板のその透明電極層に接して形成した金属層が非発光鏡領域の鏡面として使用できる点に注目した。すなわち、本発明の目的である連続する「海」状鏡領域の中に、「島」状発光可能鏡領域を備える鏡装置においては、複数の、好ましくは全ての「島」状発光可能鏡領域の陽極および陰極の各々を、極毎に共通電極、いわゆるコモン電極として、複数の発光可能鏡領域に同時に電圧を印加可能であることが好ましいところ、２つの極に対して、各々鏡面となる金属層を対応させることを試みた。そして、このような構成とすることで、上述の先行技術における問題点である、現実性やコスト、納期、給電の可能性と簡便性、透明電極層における電圧降下による発光ムラの発生の防止、鏡面連続性の問題点を一挙に解決できるのではないかと考えた。
【００１７】
このような考えのもと導き出された本発明は、
面状に広がりを有し、その一方の主面に、連続する「海」状の鏡領域３、及び、該「海」状鏡領域３の中に、「島」状の発光可能な鏡領域４を複数備える鏡装置１であって、
該一方の主面は、透光性基板１０の一方の主面であり、
該「海」状鏡領域３においては、該透光性基板１０の他方の主面上に順に透明導電膜１１、及び陽極金属層１３が形成され、該陽極金属層１３が鏡面であり、かつ、
該「島」状鏡領域４においては、該透光性基板１０の他方の主面上に順に該透明導電膜１１、発光層を含む機能層１５、及び陰極金属層１６が形成され、該陰極金属層１６が鏡面であり、さらに、
該陽極金属層１３と、該陰極金属層１６との間に電圧を印可することにより該発光する鏡装置１である。
【００１８】
上記、及び以下の記載において、説明の為に、図１における符号を付して記載するが、この符号の記載により、本発明が何らの制限を受けるものではない。
【００１９】
図１は、本発明の一実施形態における鏡装置１の断面概念図である。
【００２０】
また、図２は、図１の鏡装置１の、透光性基板１０の一方の主面からみた、平面概念図である。なお、図１は図２のＡ−Ａにおける断面概念図である。
【００２１】
本発明の構成によれば、連続する「海」状鏡領域の中に、任意の形状及び個数の「島」状発光可能鏡領域を備える鏡装置を提供することができる。
【００２２】
また、本発明の鏡装置１は、一般に高抵抗となる透明導電膜１１にこれと接して、鏡金属層２の一部として、陽極金属層１３が形成されているので、透明導電膜１１面内での電圧降下が生じにくく、複数の発光可能領域間および発光可能領域内での輝度ムラが小さい。
【００２３】
さらに、本発明の鏡装置１は、消灯時において、「島」状鏡領域４と「海」状鏡領域３との境界部位が目立たないので、一体的な鏡面を形成するため、見栄えがよい。
【００２４】
また、前記陰極金属層１６は、複数の「島」状発光可能鏡領域４に亘って連続して形成されてなることが好ましく、この連続して形成された複数の「島」状発光可能鏡領域４に亘る陰極金属層１６を共通電極として、これと明導電膜１１との間に外部から給電することで、これらの複数の「島」状発光可能鏡領域４毎に、同時に点灯および消灯が可能となる。この陰極金属層１６を、１又は複数の領域を含むグループ毎に連続して形成することで、グループ毎に点灯および消灯することもできるが、より好ましくは、１つの本発明の鏡装置１に対して連続する単一の陰極金属層１６とすることであり、全ての「島」状発光可能鏡領域４を同時に点灯および消灯できる。
【００２５】
また、前記陽極金属層１３の前記「島」状鏡領域４側側面における前記透明導電膜１１との境界線から、前記陽極金属層１３の前記透明導電膜１１とは反対側の面に亘って、少なくとも該「島」状鏡領域４側側面及びその該反対側の面へ延長する延長領域の全面が、第１絶縁層１４で覆われていることが好ましく、陰極金属層１６と陽極金属層１３との間の短絡欠陥の発生が防止されと共に、機能層１５への水分の浸入が防止されるので高信頼性の有機ＥＬ素子３０を含む鏡装置となる。
【００２６】
また、前記複数の「島」状鏡領域４、及びこれに隣接する前記「海」状鏡領域３の隣接領域に亘って、前記機能層１５が形成されていること好ましく、複数の発光可能「島」状鏡領域４に対応する機能層１５を同時に形成できる。この「島」状鏡領域４を、１又は複数の領域を含むグループ毎に形成することで、グループ毎に、例えば異なる色の発光を生じる発光層とすることもできるが、より好ましくは、１つの本発明の鏡装置１に対して連続する単一の機能層１５とすることであり、全ての「島」状発光可能鏡領域４を同時に形成できる。
【００２７】
また、前記複数の「島」状鏡領域４、及びこれに隣接する前記「海」状鏡領域３の隣接領域に亘って、前記陰極金属層１６の前記機能層１５と反対側の面を覆う第２絶縁層１７が形成されていることが好ましく、機能層１５への水分の浸入が防止されるので高信頼性の有機ＥＬ素子３０を含む鏡装置となる。
【００２８】
この第２絶縁層１７は、その前記「海」状鏡領域３に対応する領域の内部領域であって、かつ、前記陰極層１６が形成されている領域であって、さらに、前記機能層１５が形成されていない領域に、陰極電極６を形成するための、第２絶縁層１７が形成されていない領域を有することが好ましく、機能層１５への水分の浸入を防止しつつ、外部から陰極電極層１６に、確実、かつ、簡便に給電できる構造となる。
【００２９】
また、この第２絶縁層１７は、その鏡金属層２が形成されていない領域に、陽極電極７を形成するための、第２絶縁層１７が形成されていない領域を有することが好ましく、外部から透明導電膜１０に、確実、かつ、簡便に給電できる構造となる。
【００３０】
さらに、本発明は、本発明の鏡装置１の製造方法であって、順に、
前記透光性基板１０上の前記透明導電膜１１の前記「島」状鏡領域４に相当する領域にリフトオフ層１２（図示せず）を形成する工程と、
前記「島」状鏡領域４、及び前記「海」状鏡領域３に亘る連続した領域に相当する領域に前記陽極金属層１３を形成する工程と、
該リフトオフ層１２を、少なくともその上の前記陽極金属層１３を伴って、前記透明導電膜１１から除去するリフトオフ工程と、を含む鏡装置の製造方法に関する。このような製造方法とすることで、外観に優れた鏡装置１を、簡便に製造することができる。
【００３１】
また、前記リフトオフ層１２が、その全周を含み内側に幅を有する輪郭層１２１、及びそれ以外の内側の部分である本体層１２２からなり、
前記陽極金属層形成工程後に、順に、
該輪郭層１２１を、少なくともその上の前記陽極金属層を伴って、前記透明導電膜から除去する輪郭層リフトオフ工程と、
前記「島」状鏡領域４、及び前記「海」状鏡領域３に亘る連続した領域に相当する領域に第１絶縁膜１７を形成する工程と、
該本体層１２２を、その上の前記陽極金属層１３、及び該第１絶縁膜１７を伴って、前記透明導電膜１１から除去する本体層リフトオフ工程とを含むようにすることが好ましく、より信頼性が高い有機ＥＬ素子３０を含む鏡装置とすることができる。
【発明の効果】
【００３２】
本発明の効果は、連続する「海」状鏡領域の中に、任意の形状及び個数の「島」状発光可能鏡領域を備える鏡装置を提供できることである。また、本発明の鏡装置は、鏡発光領域と鏡非発光領域の境界が目立たない連続した鏡領域を備え外観に優れる鏡装置とすることができる。
【図面の簡単な説明】
【００３３】
【図１】本発明の一実施形態における鏡装置１の、鏡装置１配置部における、断面概念図である。
【図２】図１の鏡装置１の、透光性基板１０の一方の主面からみた、平面概念図である。
【図３】本発明の鏡装置１の製造方法の一実施態様における製造工程を説明する説明図である。
【発明を実施するための形態】
【００３４】
以下、本発明の実施形態について説明する。なお、本発明は以下の実施形態に限定されるものではなく、当業者の技術常識内で種々変更が可能である。
【００３５】
（鏡装置１）
本実施形態の鏡装置１は、図１、及び図２に示すように、その透光性基板１０の一方の主面である図１の下方からみて、図２に示すように、「海」状の非発光の鏡領域３と、「島」状の発光可能な鏡領域４とを含み、透光性基板１０をその本体とする。
【００３６】
鏡装置１の他方の主面、即ち、透光性基板１０の他方の主面には、一方の主面からみて鏡となるように、その鏡面を形成する鏡金属層２が配されている。本発明の特徴は、この鏡金属層２が、前記「海」状の鏡領域３に対応して透光性基板１０上の透明導電膜１１に接して形成された陽極金属層１３と、前記「島」状の鏡領域４に対応して陰極金属層１６とを含むことである。
【００３７】
この際、陽極金属層１３と陰極金属層１６とが、一方の主面からみて重なり合う重畳領域５を有するようにすることで、「海」状の鏡領域３と「島」状の鏡領域４とが連続して鏡領域を形成するようにしていることが本発明の特徴の一つである。また、この重畳領域５があることにより、金属層１３、１６が高水蒸気バリア性の金属材料で形成されているので、これらと、同様に高水蒸気バリア性の材料で形成されている絶縁層１４、１７とに、有機ＥＬ素子３０、特にその機能層１５が取り囲まれていることにより、本発明に係る発光可能な「島」状鏡領域４は、高い信頼性を有する。
【００３８】
この重畳領域５には、図１に示すように、第１絶縁膜１４が存在することが必要であり、この第１絶縁膜により、陽極金属層１３と陰極金属層１６とが電気的に短絡しないよう絶縁しつつ、これらの電極層間に発光のための電圧を印加することが可能となる。
【００３９】
本発明の鏡装置１では、陽極金属層１３の裏側（他方の主面側）に、機能層１５を回りこませて形成可能なので、図１に示すように、重畳領域５には、第１絶縁膜１４だけが存在する領域だけでなく、機能層１５と第１絶縁膜が存在する領域が存在する。このような機能層１５と第１絶縁膜が存在する領域を、発光可能な「島」状鏡領域４の周囲に設けることで、そこでの発光を十分余裕のあるものとすることができる。
【００４０】
（鏡装置１の製造方法）
図３は、本発明の鏡装置１の製造方法の一実施態様における製造工程を説明する説明図である。
【００４１】
本発明の鏡装置１の製造方法としては、以下の（１）から（８）の工程を順に実施する方法が挙げられる。
（１）透光性基板１０上に形成された透明導電膜１１上に、発光領域形状に適合させた形状のリフトオフ層１２を複数形成する。
（２）陽極金属層１３を複数のリフトオフ層１２に亘って形成する。
（３）発光領域形状の外周部に相当する輪郭層１２１をリフトオフし、透明導電膜１１を露出させる。
（４）陽極金属層１３の側面を含む露出面の全面に第1絶縁膜１４を形成する。このとき、前記輪郭層１２１をリフトオフした部分に第１絶縁膜１４が埋め込まれ、当該部分の陽極金属層１３の側面にも第１絶縁膜１４が形成される。
（５）発光領域形状に相当する本体層１２２をリフトオフし、透明電極膜１１を露出させる。
（６）発光領域に相当する前記複数のリフトオフ層１２に亘り、これらを十分に覆う領域に、発光層を含む機能層１５を形成する。
（７）機能層１５の側面を含む露出面の全面に、これを十分に覆う陰極金属層１６を形成する。
（８）少なくとも陰極金属層１６の側面を含む露出面の全面に、これを十分に覆う第２絶縁膜１７を形成する。
【００４２】
（透光性基板１０）
本発明に係る透光性基板１０は、本発明に係る鏡装置１の本体となる基板である。透光性及び絶縁性を有したものであれば、透光性基板２の材質については特に限定されるものではなく、例えば、フレキシブルなフィルム透光性基板やプラスチック透光性基板などから適宜選択され用いられる。特にガラス基板や透明なフィルム基板は透明性や加工性の良さの点から好適である。また、これらの基板に光取り出しのための透光性フィルム（いわゆるＯＣＦフィルム）やその他の透光性フィルムを取り付けた基板や、光散乱層等を形成した基板も、本発明に係る透光性基板１０である。
【００４３】
（透明導電膜１１）
透明導電膜１１の素材は、透明であって、導電性を有していれば、特に限定されるものではなく、例えば、インジウム錫酸化物（ＩＴＯ）、インジウム亜鉛酸化物（ＩＺＯ）、酸化錫（ＳｎＯ2）、酸化亜鉛（ＺｎＯ）等の透明導電性酸化物などが採用される。透明導電膜１１は、点灯等において有機ＥＬ素子３０に正孔を供給する陽極（アノード）であることが、特性の高い素子を形成する観点から好ましく、ＩＴＯで形成されていることがより好ましい。
【００４４】
透明導電膜１１は、その透明性を維持しつつその層内での電圧降下の発生を防止する観点から、その中に、超薄膜金属層や金属細線を備えるようにすることができる。
【００４５】
（リフトオフ層１２）
本発明に係るリフトオフ層１２は、選択したリフトオフ工程に適合する材料により構成され、その形状はフォトリソグラフィ工程やスクリーン印刷等によって形成してもよい。
【００４６】
輪郭層１２１のリフトオフは、領域が発光形状の輪郭に限定されるため、レーザによる除去にて実施するのが効率的である。本体層１２２のリフトオフは、全面をレーザにより除去することで行っても良いが、リフトオフ領域が広域になる場合にはレーザ等による起点形成工程の併用を含む溶媒や溶液によるウェットプロセスにて行っても良い。
【００４７】
（陽極金属層１３）
陽極金属層１３の材料としては、反射率や導電性が高い銀又はアルミニウムが好ましく、より好ましくは銀である。
【００４８】
（絶縁膜１４、１７）
絶縁膜１４、１７の材質は、絶縁性及び水蒸気バリア性に代表される封止性を有していれば、特に限定されるものではないが、酸素、炭素、窒素の中から選ばれた１種類以上の元素と、ケイ素元素とからなるシリコン合金により形成されていることが好ましく、Ｓｉ−Ｏ、Ｓｉ−Ｎ、Ｓｉ−Ｈ、Ｎ−Ｈ等の結合を含む窒化珪素や酸化珪素、及び両者の中間固溶体である酸窒化珪素であることが特に好ましい。
また、第１絶縁膜１７としては、後述する乾式法封止層とすることが好ましい。
また、第２絶縁膜１７としては、封止性能を高める観点から、多層構造の絶縁封止層を使用することが好ましい。陰極金属層１６側から乾式法によって形成される乾式法封止層と、湿式法によって形成される湿式法封止層がこの順に積層されて形成されていることが好ましい。
【００４９】
乾式法封止層は、スパッタや真空蒸着、化学気相蒸着によって形成される層であり、シランガスやアンモニアガス等を原料としてプラズマＣＶＤ法で成膜される層とすることが好ましい。このような乾式法封止層は、水分含量が少ない雰囲気下で実施される有機ＥＬ素子３０の形成工程に引き続き成膜できる。
【００５０】
湿式法封止層は、液体状又はゲル状の原料を塗布した後、化学反応を介して成膜される層である。湿式法封止層は、より詳細には、緻密性を有したシリカを素材としていることが好ましい。また、湿式法封止層はポリシラザン誘導体を原料とするのが好ましい。ポリシラザン誘導体を用いてシリカ転化によって湿式法封止層を成膜した場合、シリカ転化時に重量増加を生じ、体積収縮が小さい。また、シリカ膜転化時（固化時）に樹脂の耐え得る温度で十分にしかもクラックを生じ難くすることができる。
【００５１】
このように、湿式法封止層は、乾式法封止層とは異なる材料を封止層として積層したものであることが好ましく、相互の欠陥を補完することにより、封止性能を高め、経時的な新たなダークスポットの発生を防止したり、発生したダークスポットの拡大化を抑制したりすることができる。
【００５２】
絶縁膜１４、１７の平均厚みは、１μｍから１０μｍであることが好ましく、２μｍから５μｍであることがより好ましい。
【００５３】
（機能層１５）
機能層３５は、透明導電膜１１と陰極金属層１６との間に設けられ、少なくとも一層の有機化合物を含む発光可能な発光層を備えた層である。機能層１５は、主に有機化合物からなる複数の層から構成されている。この機能層１５は、一般的な有機ＥＬ装置に用いられている低分子系色素材料や、共役系高分子材料などの公知のもので形成することができる。また、この機能層１５は、正孔注入層、正孔輸送層、有機発光層、電子輸送層、電子注入層などの複数の層からなる積層多層構造であることが一般的である。
【００５４】
一般に、機能層１５は、消灯時において、透明あるいはほぼ透明であり、本発明に係る機能層１５は透明である。
【００５５】
（陰極金属層１６）
陰極金属層１６の材料としては、前記陽極金属層１３と同一の材料とすることが、鏡金属層２全体の反射率を統一し、本発明に係る境界の連続性効果を奏さしめる観点から好ましく、また、点灯等において有機ＥＬ素子３０に電子を供給する陰極（カソード）であることが、特性の高い素子を形成する観点から好ましく、銀で形成されていることがより好ましい。
【符号の説明】
【００５６】
１  鏡装置
２  鏡金属層
３  「海」状の鏡領域
４  「島」状の鏡領域
５  重畳領域
１０  透光性基板
１１  透明導電膜
１２  リフトオフ層
１３  陽極金属層
１４  第１絶縁膜
１５  機能層
１６  陰極金属層
１７  第２絶縁膜
３０  有機ＥＬ素子（積層体）
１２１  輪郭層
１２２  本体層
【図２】
2015230767.tif 000003
【図３】
2015230767.tif 000004
【図１】
2015230767.tif 000005